(57)【要約】【課題】洗浄と芳香の両機能をそれぞれ確実にバランスよく発揮でき、美観も損なわず、かつトイレの使用のつど無駄なく利用できる水洗トイレ用薬剤供給装置を提供する。【解決手段】水の流入口１と流出口２とを有した容器２１内に、洗浄剤収容空間６Ａと芳香剤収容空間７Ａとが隣接して設けられ、洗浄収容空間６Ａには、流入口１より流入してくるタンク貯留用水を受けて回転する水車３と、タンク貯留用水によって溶解する洗浄剤６とを収容するとともに、芳香剤収容空間７Ａには、水車３によって駆動するファン４と、ファン４の近傍に置かれた芳香剤７とを収容した構造とされ、ファン４が水車３の駆動力を受けて空気流動を発生させ、これによって芳香剤７を揮散させるようにしている。【選択図】図２
0003134042.tif 000002
【実用新案登録請求の範囲】
【請求項１】
水の流入口と流出口とを有した容器内に、洗浄剤収容空間と芳香剤収容空間とを隣接して設け、
上記洗浄収容空間には、該流入口より流入してくるタンク貯留用水を受けて回転する水車と、該タンク貯留用水によって溶解する洗浄剤とを収容するとともに、
上記芳香剤収容空間には、上記水車によって駆動するファンと、該ファンの近傍に置かれた芳香剤とを収容した構造とされ、
上記ファンは上記水車の駆動力を受けて空気流動を発生させ、これによって上記芳香剤を揮散させるようにしたことを特徴とする水洗トイレ用薬剤供給装置。
【請求項２】
請求項１において、
上記芳香剤収容空間は、上記容器の外部に通じる通気口を有するとともに、上記流入水の浸入を防止する隔離室として形成されている水洗トイレ用薬剤供給装置。
【考案の詳細な説明】
【技術分野】
【０００１】
本考案は、水洗トイレの貯水タンクの上蓋などに載置して使用される水洗トイレ用薬剤供給装置に関するものである。
【背景技術】
【０００２】
従来、トイレ用薬剤として、水洗トイレの貯水タンクの上蓋に載置するものや、貯水タンク内に投入するものなどがあり、これらについて、種々の改良技術が提案されている（例えば、特許文献１参照）。
【０００３】
この文献に記載された技術は、水洗トイレの貯水タンクの上蓋に載置して使用する薬剤供給具に関するものである。この薬剤供給具内には薬剤を含浸させた含浸体が収容され、その含浸体に含浸している薬剤を通気口より揮散させるとともに、タンクの上蓋に設けた水流入口へ水を流そうとしたときは、流水を薬剤供給具内に取り込んで、含浸体に含浸されている薬剤を溶解させ、タンク内に送り込むようにしたものである。
【０００４】
つまり、この文献のものは、同一の薬剤が便器洗浄剤として、かつ芳香剤として作用するものである。
【特許文献１】特開２００２−３２７４８１号公報
【考案の開示】
【考案が解決しようとする課題】
【０００５】
しかしながら、トイレにおいて、洗浄と芳香を同一の薬剤で担うことにはとうてい限界がある。同一の薬剤を使用する問題として例えば、一方の機能が不十分であるなど両作用のバランスが悪いことや、１つの薬剤が両機能に使用されるため短期間に消耗してしまうことなどがあるが、これらを改善することは決して容易ではない。
【０００６】
また、別々の薬剤で対応する場合、タンク上面の形状、大きさを考慮すれば両薬剤をタンク上に載置することは困難で、芳香剤についてはタンク以外の場所に設置しなければならず、そのため美観を十分に考慮した容器設計をしなければならず、コストアップにつながる。
【０００７】
さらに、載置して自然揮散させる芳香剤では、トイレの使用、未使用にかかわらず常時、香りを一定の割合で発散しているため無駄が多い。また、操作によって容器内の香りの蒸気を噴霧するものでは無駄は少ないが、操作が面倒であり、操作を忘れてしまうおそれがあり、確実性に欠ける。
【０００８】
本考案は、このような種々の問題を考慮して提案されたもので、その目的とするところは、洗浄と芳香の両機能をそれぞれ確実にバランスよく発揮でき、美観も損なわず、かつトイレの使用のつど無駄なく利用できる水洗トイレ用薬剤供給装置を提供することにある。
【課題を解決するための手段】
【０００９】
上記目的を達成するために、請求項１に記載の水洗トイレ用薬剤供給装置は、水の流入口と流出口とを有した容器内に、洗浄剤収容空間と芳香剤収容空間とが隣接して設けられ、洗浄収容空間には、流入口より流入してくるタンク貯留用水を受けて回転する水車と、タンク貯留用水によって溶解する洗浄剤とを収容するとともに、芳香剤収容空間には、水車によって駆動するファンと、ファンの近傍に置かれた芳香剤とを収容した構造とされ、ファンが水車の駆動力を受けて空気流動を発生させ、これによって芳香剤を揮散させるようにしたことを特徴とする。
【００１０】
請求項２では、芳香剤収容空間は、容器の外部に通じる通気口を有するとともに、流入水の浸入を防止する隔離室として形成されている。
【考案の効果】
【００１１】
請求項１に記載の水洗トイレ用薬剤供給装置によれば、水が流入するごとに、流入水によって洗浄剤が溶解され、このとき、流入水によって水車が回転して、その水車により駆動されるファンが空気流動を発生させて芳香剤を揮散させる構成であるため、使用のつど、つまり流入口より水道水を受けるごとに、確実に両薬剤を作用させることができる。また、水車をファンの駆動源としているため、電池を使用しなくて済む。
【００１２】
また、洗浄剤と芳香剤とは個別のものを使用するため、それぞれの薬剤として、使用するトイレに適したものを採用すれば、洗浄と芳香の両機能をそれぞれ確実にバランスよく作用させることができる。さらに両薬剤は容器に一体収容されているため、別々に設ける必要がない。
【００１３】
請求項２に記載の水洗トイレ用薬剤供給装置によれば、芳香剤収容空間を、流入水の浸入が防止された隔離室に形成しているため、芳香剤が水分で浸されるおそれはない。ファンも水分で傷むおそれはほとんどない。
【考案を実施するための最良の形態】
【００１４】
以下に、本考案の実施の形態について、添付図面を参照しながら説明する。
【００１５】
図１は本考案の一例である水洗トイレ用薬剤供給装置の外観と使用例を示した斜視図、図２は同薬剤供給装置の蓋を外したときの斜視図、図３は蓋の裏側を示した斜視図、図４は水車とファンの連結構造を示した図で、（ａ）は水車とファンを連結した状態の正面図、（ｂ）は水車の側面図である。
【００１６】
図１に示すように、同薬剤供給装置２０は、水洗トイレの貯水タンク３０の上蓋３１の水流入口（不図示）の直上あるいは近傍に載置され、水洗操作をしたときにタンク３０に併設された水栓金具３２から流出する水を、薬剤供給装置２０の上面に設けた流入口１より受けて使用されるものである。
【００１７】
薬剤供給装置２０は、容器２１に種々の部材を内装、収容してなり、その容器２１は箱型の収容器２２と、その収容器２２の上方に取り付ける半円筒形状の蓋２３とよりなる。
【００１８】
蓋２３に開設された流入口１は、タンク貯留用の水を十分に受けることができる程度の大きさを有し、かつ流入水が後述する収容器２２に内装した水車３の羽根３ａに落下して水車３が回転できるような位置に設けられている。
【００１９】
特に本例では、流入口１は、上方に向けて、上方から落下してくる水道水を受けやすいようにしているが、このような構造には限定されず、タンク貯留用の水の噴出方向に合わせた位置に設ければよい。
【００２０】
また蓋２３は、収容器２２に係止させるための爪を有した１対の係止突起２３ａを両端に備えるとともに、その裏面には、流入口１を挟むように２つの仕切壁９ｂ、１１ｂが設けられている（図３参照）。これらの仕切壁９ｂ、１１ｂは、収容器２２に設けた後述する２つの仕切壁９ａ、１１ａに対応する位置に形成されている。
【００２１】
収容器２２は、上方を開口し、前後面壁２２ａ、２２ａと、両側壁２２ｂ、２２ｂと、底部２２ｃとを有し、内部空間が２つの仕切壁９（９ａ）、１１（１１ａ）で仕切られ、水車３が２つの仕切壁９ａ、１１ａの間には収容されている。
【００２２】
一方の仕切壁９ａは、洗浄剤収容空間６Ａと芳香剤収容空間７Ａとを仕切るもので、前面壁２２ａから後面壁２２ａにいたるまで隙間なく形成されている。この仕切壁９ａによって、芳香剤７とファン４とを収容した芳香剤収容空間７Ａは、後述するように水の浸入が防止された隔離室８に形成されている。
【００２３】
他方の仕切壁１１ａは、洗浄剤収容空間６Ａ内を水車３と洗浄剤６とに仕切るもので、おもに水車３の回転軸の軸受として機能する。なお、仕切壁１１ａは後面壁２２ｂまでは形成されず、一部を開放して洗浄剤収容空間６Ａ内の流路１２の一部を形成している。また、収容器２２内に水が滞留しないように、流路１２を傾斜させてもよい。
【００２４】
洗浄剤６は、確実に溶解されるようにするために流路１２上に形成することが望ましい。よって、図例のような仕切壁１１ａで仕切られた空間に限られず、例えば水車３の真下に洗浄剤６を載置してもよい。
【００２５】
水車３は、両仕切壁９ａ、１１ａを軸受として、回転軸５で回転自在に両持ち軸支されており、その回転軸５は隔離室８側に延出され、隔離室８に備えたファン４の回転軸にもなっている（図４参照）。すなわち、水車３の回転によって、同軸のファン４が駆動される構造となっている。なお、水車３の回転力を増大させて強力にファン４を駆動させるために、水車３とファン４とを、ギアを介して連結してもよい。
【００２６】
またファン４は、換気扇や扇風機に使用されている、後方より空気を取り込むプロペラ様の羽根で構成してもよいが、風上が仕切壁９で閉塞されていることにより有効に空気流入ができないため、図例ように、複数枚の空気流動羽根４ａで隔離室８内の空気を流動させる構造とすることが望ましい。
【００２７】
また、洗浄剤空間６Ａに設置された水車３の前面壁２２ａには、水車３の羽根３ａに落下してきた水を排出する流出口２が開設されている。なお、流入水の一部は流路１２を通じて洗浄剤収容空間６Ａへも流れ込み、洗浄剤６を溶解し、その溶解水は洗浄剤６側の底部２２ｃに設けた他の流出口（不図示）より排出され、貯水タンク３０内に流入する。
【００２８】
洗浄剤６は、固形の例えばヨード系のものが使用される。なお、液体の薬剤を含浸させた含浸体を収容して、流入水によって、含浸体の薬剤を溶解させるようにしてもよい。
【００２９】
また隔離室８内のファン４の風下には円板状の芳香剤７が収容されており、この芳香剤７は、香料を含む液体薬剤を含浸させた含浸体が好適であるが、固形薬剤であってもよい。また、粒体、液体などの芳香剤７を、上面を開口した容器に収容して、容器ごと隔離室８内に載置してもよい。
【００３０】
ファン４と芳香剤７とを収容した隔離室８（芳香剤収容空間７）は、収容器２２を蓋２３で閉塞したときに、上下の仕切壁９ａ、９ｂが相互に当接、密接または係合して、水車３から隔離された状態となる。
【００３１】
このように、隔離室８は水の浸入が防止される構造であるため、水分をほとんど含まない芳香空間を形成できる。また、ファン４が水分で傷むおそれもほとんどない。
【００３２】
この隔離室８は、収容器２２の前面壁２２ａ、側壁２２ｂ、底部２２ｃなどに容器２１の外部に通じる通気孔１３ａなどの通気口１３を有している。これらの通気口１３は、芳香剤７の揮散成分の外部への排出と、外部からの空気流入のために設けられており、隔離室８内の空気流動をよくするために、水が流入しない位置に複数の通気口１３を設けることが望ましい。
【００３３】
以上のような構造の薬剤供給装置２０によれば、水が容器２１内に流入するごとに、流入水によって洗浄剤６を溶解するとともに、水車３の回転により駆動されるファン４による空気流動によって芳香剤７を揮散させる構成であるため、流入口１より水道水を受けるごとに、つまり便器の水洗操作のつど、確実に両薬剤を作用させることができる。また、水車３をファン４の駆動源としているため、電池を使用せずに使用できる。
【００３４】
また、洗浄剤６と芳香剤７とは個別のものを使用するため、それぞれの薬剤として、使用するトイレに最適のものを使用でき、洗浄と芳香の両機能をそれぞれ確実にバランスよく作用させることができる。さらに両薬剤６、７は容器２１に一体収容されているため、個別に載置する必要がない。
【００３５】
なお、図１、２に例示した装置は、蓋２３を開けて洗浄剤６、芳香剤７を収容器２２内に収容するものであるが、洗浄剤６、芳香剤７を個別に挿入できる構成としてもよい。例えば、底部２２ｃに、洗浄剤６、芳香剤７を挿入するための２つの裏蓋を設けてもよい。
【図面の簡単な説明】
【００３６】
【図１】本考案の一例である水洗トイレ用薬剤供給装置の外観と使用例を示した斜視図である。
【図２】同薬剤供給装置の分解斜視図である。
【図３】同薬剤供給装置に使用する蓋の裏側を示した斜視図である。
【図４】（ａ）は水車とファンの構造を示した正面図、（ｂ）は水車の側面図である。
【符号の説明】
【００３７】
２０      水洗トイレ用薬剤供給装置
２１      容器
２２      収容器
２３      蓋
３０      貯水タンク
１      流入口
２      流出口
３      水車
４      ファン
５      回転軸
６      洗浄剤
６Ａ      洗浄剤収容空間
７      芳香剤
７Ａ      芳香剤収容空間
８      隔離室
９      仕切壁
１１      仕切壁
１２      流路
１３      通気口、通気孔
【図１】
0003134042.tif 000003
【図２】
0003134042.tif 000004
【図３】
0003134042.tif 000005
【図４】
0003134042.tif 000006